(57)【要約】【課題】  本考案は、実装ラインに空間を設けて横断でき、かつレイアウト変更を迅速かつ安易にすることができるスライドコンベアーを提供することを目的とする。【解決手段】  ＩＮ側基板センサー４がプリント基板（図示せず）を検知してＯＮすると、ＯＵＴ側基板センサー５方向へ搬送し、ＯＵＴ側基板センサー５のＯＮで停止し、プリント基板（図示せず）も停止する。引き続いて、スライドコンベアー機枠Ａ全体がスライドし、シリンダーエンドの下流側装置１４側で停止待機する。もしも、この途中で作業者が危険を感じて手動で右側安全用押し釦スイッチ６を押した場合、もしくは作業者が右側踏み台１２に侵入して右側障害物検出センサー８がＯＮした場合、シリンダー１１は元の位置へ一旦戻り数秒後、再び下流側装置１４方向に前記スライドコンベアー機枠Ａ全体がスライドし、前述と同様にしてシリンダーエンドの下流側装置１４側で停止待機する。【選択図】  図１
0003111088.tif 000002
【実用新案登録請求の範囲】
【請求項１】
プリント基板を上流側装置側から下流側装置側へ搬送するスライドコンベアーにおいて、前記上流側装置及び下流側装置の間に配置される案内部を形成し、該案内部にシリンダーの一端が固定され、シリンダーの他端をスライドコンベアー機枠Ａに固定し、前記シリンダーの作動により前記スライドコンベアー機枠Ａが上流側装置及び下流側装置の間で前記案内部上をスライド移動可能にすると共に、スライドコンベアー機枠Ａ上部の左右端に基板ベルトプーリを設けて基板搬送ベルトを掛け渡し、該基板ベルトプーリの上流側装置側にはプリント基板を検知するＩＮ側基板センサーを配置し、また前記基板ベルトプーリの下流側装置側にはＯＵＴ側基板センサーを配置し、前記スライドコンベアー機枠Ａ上部には、危険時に手動で押してスライドコンベアー機枠Ａの移動を停止させ元の位置に戻すことができる右側安全用押し釦スイッチ及び左側安全用押し釦スイッチを設けると共に、前記スライドコンベアー機枠Ａ下部には、上流側装置側及び下流側装置側に向けて赤色光を発光する右側障害物検出センサー及び左側障害物検出センサーを設けることを特徴とするスライドコンベアー。
【請求項２】
前記案内部の内面には、作業者の通路となる踏み台が形成され、前記スライドコンベアー機枠Ａが上流側装置側に位置した場合に形成される右側踏み台と、前記スライドコンベアー機枠Ａが下流側装置側に位置した場合に形成される左側踏み台が設けられることを特徴とする請求項１記載のスライドコンベアー。
【考案の詳細な説明】
【技術分野】
【０００１】
本考案は、プリント基板上にチップ部品・ＩＣ部品を組み立てる実装ライン等に組み込まれるスライドコンベアーに関する。
【背景技術】
【０００２】
一般に、スライドコンベアーはプリント基板を半田印刷機、ボンド塗布機、部品装着機及びリフロー炉または硬化炉へ順次搬送してプリント基板上にチップ部品・ＩＣ部品を組み立てる実装ライン等に組み込まれる（特許文献１を参照）。
【０００３】
実装ラインの長さは数１０m以上となり、作業者は半田印刷機、ボンド塗布機、部品装着機及びリフロー炉が停止するとその都度復帰作業・確認作業をするまでの時間を要していた。
【０００４】
また、実装ラインが停止すると復帰・確認するまでの時間はその都度内容が異なり、停止してからいかに早く復帰・確認をし、装置の停止時間を無くし急いで対応するしかなかった。
そのため、稼動率・品質に大きな影響を及ぼす要因になっていた。
【０００５】
そこで、本出願人は、実装ラインに組み込まれるストローク可変式スライドコンベアー（特願２００３−４３５３３０号）を開発して前記要望に応えるようにした。
本考案のスライドコンベアーは、前記ストローク可変式スライドコンベアーをさらに改良したものである。
【特許文献１】特開２００３−２８３１９１号公報
【考案の開示】
【考案が解決しようとする課題】
【０００６】
本考案は、実装ラインに空間を設けて横断でき、かつレイアウト変更を迅速かつ安易にすることができるスライドコンベアーを提供することを目的とする。
【課題を解決するための手段】
【０００７】
本考案のスライドコンベアーは、プリント基板を上流側装置側から下流側装置側へ搬送するスライドコンベアーにおいて、前記上流側装置及び下流側装置の間に配置される案内部を形成し、シリンダーの一端が前記案内部に固定され、シリンダーの他端をスライドコンベアー機枠Ａに固定し、前記シリンダーの作動により前記スライドコンベアー機枠Ａが上流側装置及び下流側装置の間でスライド移動可能にすると共に、スライドコンベアー機枠Ａ上部の左右端に基板ベルトプーリを設け、前記基板ベルトプーリの上流側装置側にはプリント基板を検知するＩＮ側基板センサーを配置し、前記基板ベルトプーリの下流側装置側にはＯＵＴ側基板センサーを配置し、前記スライドコンベアー機枠Ａ上部の左右には、危険時に手動で押してスライドコンベアー機枠Ａの移動を停止させ元の位置に戻すことができる右側安全用押し釦スイッチ及び左側安全用押し釦スイッチを設けると共に、前記スライドコンベアー機枠Ａ下部には、上流側装置側及び下流側装置側に向けて赤色光を発光する右側障害物検出センサー及び左側障害物検出センサーを設けるものである。
【０００８】
また、前記案内部の上面には、作業者の通路となる踏み台が形成され、前記スライドコンベアー機枠Ａが上流側装置側に位置した場合に形成される右側踏み台と、前記スライドコンベアー機枠Ａが下流側装置側に位置した場合に形成される左側踏み台が設けられるものである。
【考案の効果】
【０００９】
本考案のスライドコンベアーは、横断できる空間を上流側装置及び下流側装置の両側に設けることで、実装ラインの長さは数１０m以上となるが、作業者は半田印刷機、ボンド塗布機、部品装着機及びリフロー炉が停止しても復帰作業・確認作業を迅速かつ容易に対処することができ、ラインの装置停止の復帰・確認のための停止時間の短縮により生産性が向上する。
【考案を実施するための最良の形態】
【００１０】
本考案のスライドコンベアーの一実施例を図面に基づいて、以下に説明する。
図１は、本考案のスライドコンベアーを実装ラインに据え付けた状態を示す正面図である。
図１に示すように、直方体のスライドコンベアー機枠Ａ上部の左右端に基板ベルトプーリ１を設け、該基板ベルトプーリ１、１の間には基板搬送ベルト２を掛け渡して基板搬送モーター３によりプリント基板（図示せず）を前記基板搬送ベルト２に載置させて左側から右側へ搬送する。
また、前記基板ベルトプーリ１の上流側装置１３側にはプリント基板を検知するＩＮ側基板センサー４を配置し、前記基板ベルトプーリ１の下流側装置１４側にはＯＵＴ側基板センサー５を配置する。
前記スライドコンベアー機枠Ａ上部の左右には、危険時に手動で押してスライドコンベアー機枠Ａの移動を停止させ元の位置に戻すことができる右側安全用押し釦スイッチ６及び左側安全用押し釦スイッチ７を設ける。
また、前記スライドコンベアー機枠Ａ下部には、上流側装置１３側及び下流側装置１４側に向けて赤色光を発光する右側障害物検出センサー８及び左側障害物検出センサー９をそれぞれ設ける。
【００１１】
図２の底面図に示すように、長方形の支持枠の長手方向に並列にガイド用案内レールを設けた案内部１０を形成し、該案内部１０は上流側装置１３及び下流側装置１４の間に配置される。
前記スライドコンベアー機枠Ａ下部には、シリンダー１１の一端が、例えばシリンダーロッド先端が前記案内部１０に固定され、シリンダー１１の他端が、例えばシリンダー本体が前記スライドコンベアー機枠Ａに固定され、前記シリンダー１１の作動により前記スライドコンベアー機枠Ａが上流側装置１３及び下流側装置１４の間で前記ガイド用案内レール上をスライド移動する。
そして、前記案内部１０の内面には、作業者の通路となる鋼板カバーの踏み台が形成され、前記スライドコンベアー機枠Ａが上流側装置１３側に位置した場合に形成される図１に示す右側踏み台１２と、前記スライドコンベアー機枠Ａが下流側装置１４側に位置した場合に形成される図３に示す左側踏み台１５が設けられる。
【００１２】
次に，本考案のスライドコンベアーの動作について、以下に図面に基づいて説明する。
図１において、スライドコンベアー機枠Ａは上流側装置１３側にあり、スライドコンベアー機枠Ａと下流側装置１４の間には、右側踏み台１２が露出して作業者が横断できる空間がある。
【００１３】
実装ラインにおける上流側装置１３よりプリント基板（図示せず）が適宜移送手段によりスライドコンベアー機枠Ａへ移載される。
ＩＮ側基板センサー４がプリント基板（図示せず）を検知してＯＮすると、基板搬送モーター３が回転することにより基板搬送ベルト２が回転し、プリント基板（図示せず）がＯＵＴ側基板センサー５方向へ搬送される。
そして、ＯＵＴ側基板センサー５のＯＮで、前記基板搬送モーター３の回転は停止し、プリント基板（図示せず）も停止する。
【００１４】
引き続いて、シリンダー１１により下流側装置１４方向に前記スライドコンベアー機枠Ａ全体がスライドし、図３に示すシリンダーエンドの下流側装置１４側で停止待機する。
もしも、この途中で作業者が危険を感じて手動で右側安全用押し釦スイッチ６を押した場合、もしくは作業者が右側踏み台１２に侵入して右側障害物検出センサー８がＯＮした場合、シリンダー１１は元の位置へ一旦戻り数秒後、再び下流側装置１４方向に前記スライドコンベアー機枠Ａ全体がスライドし、前述と同様にしてシリンダーエンドの下流側装置１４側で停止待機する。
図３に示すように、スライドコンベアー機枠Ａは下流側装置１４側にあり、スライドコンベアー機枠Ａと上流側装置１３の間には、右側踏み台１５が露出して作業者が横断できる空間がある。
【００１５】
実装ラインにおける下流側装置１４にプリント基板（図示せず）がなくなり、前記スライドコンベアー機枠Ａに適宜信号が出力されると、基板搬送モーター３がＯＮし基板搬送ベルト２が回転し、プリント基板（図示せず）を下流側装置１４に排出する。
排出が終了するとＯＵＴ側基板センサー５のＯＦＦで、シリンダー１１が元の位置、すなわち前記スライドコンベアー機枠Ａ全体が上流側装置１３方向へ移動し、シリンダーエンドの上流側装置１３側で停止する。
もしも、この途中で作業者が危険を感じて手動で左側安全用押し釦スイッチ７を押した場合、もしくは作業者が左側踏み台１５に侵入して左側障害物検出センサー９がＯＮした場合、シリンダー１１は元の位置へ一旦戻り数秒後、再び上流側装置１３方向に前記スライドコンベアー機枠Ａ全体がスライドし、前述と同様にシリンダーエンドの下流側装置１３側で停止する。
以下同様に、順次くり返し動作する。
【図面の簡単な説明】
【００１６】
【図１】実装ラインに組み込まれた本考案のスライドコンベアーの正面図である。
【図２】本考案のスライドコンベアーの底面図である。
【図３】実装ラインに組み込まれた本考案のスライドコンベアーの待機時の正面図である。
【符号の説明】
【００１７】
１  基板ベルトプーリ
２  基板搬送ベルト
３  基板搬送モーター
４  ＩＮ側基板センサー
５  ＯＵＴ側基板センサー
６  右側安全用押し釦スイッチ
７  左側安全用押し釦スイッチ
８  右側障害物検出センサー
９  左側障害物検出センサー
１０  案内部
１１  シリンダー
１２  右側踏み台
１３  上流側装置
１４  下流側装置
１５  左側踏み台
【図１】
0003111088.tif 000003
【図２】
0003111088.tif 000004
【図３】
0003111088.tif 000005